【手続補正書】
【提出日】平成16年3月19日(2004.3.19)
【手続補正１】
【補正対象書類名】特許請求の範囲
【補正対象項目名】全文
【補正方法】変更
【補正の内容】
【特許請求の範囲】
【請求項１】
(a)フライス削り装置、および
(b)フライス削り装置と一緒に使用される少なくとも1つのフライス媒体
を含む、少なくとも1つの材料をフライス削りするシステムであって、
該装置は、
(i)少なくとも1つの材料および少なくとも1つのフライス媒体を受け入れるための中空の容器を含むフライス・チャンバ、
(ii)少なくとも1つの駆動磁石を含む駆動部材、ならびに
(iii)フライス・チャンバ内に配置され、該フライス・チャンバに対して回転可能に取り付けられ、かつ少なくとも1つの被駆動磁石を含むフライス・ヘッドであって、該少なくとも1つの駆動磁石は、該少なくとも一つの被駆動磁石に磁気的に連結されているフライス・ヘッド
を含み、該駆動部材は、エネルギー源によって回転するように構成されており、該駆動部材が回転すると、付随して該フライス・ヘッドが該フライス・チャンバに対して回転し、該フライス・ヘッドは該少なくとも1つのフライス媒体および少なくとも1つの材料と協働して、該フライス・チャンバ内の少なくとも1つの材料をフライス削りする、システム。
【請求項２】
フライス・チャンバが、駆動部材に対して取り外し可能に取り付けられ、該フライス・チャンバおよびフライス・ヘッドが、該駆動部材からユニットとして取り外されることができる、請求項1記載のシステム。
【請求項３】
(a)駆動部材が、第1の端部および長手方向軸を有する駆動シャフトを含み、
(b)少なくとも1つの駆動磁石が、該第1の端部において該駆動シャフトに連結されており、
(c)フライス・ヘッドが、フライス・チャンバの一部が配置されているがボアからわずかに間隔を置いている中央ボアを有し、
(d)少なくとも1つの被駆動磁石が、該中央ボアに隣接して配置されており、
(e)該駆動シャフトが、エネルギー源によって該長手方向軸の周りを回転するように構成されており、該駆動シャフトが該長手方向軸の周りを回転すると、付随してフライス・ヘッドが該長手方向軸の周りを回転する、
請求項1または2記載のシステム。
【請求項４】
フライス・チャンバの一部が、内部中央ウェルを有するスピンドルを含む、請求項3記載のシステム。
【請求項５】
(a)駆動シャフトの第1の端部が、中央ウェル内に配置されており、かつ
(b)少なくとも1つの駆動磁石が、スピンドルを介して少なくとも1つの被駆動磁石に磁気的に連結されている、
請求項4記載のシステム。
【請求項６】
フライス・チャンバが、駆動シャフトに取り外し可能に取り付けられており、該フライス・チャンバおよびフライス・ヘッドを、駆動シャフトからユニットとして取り外すことができる、請求項1から5のいずれか一項記載のシステム。
【請求項７】
フライス・チャンバが、取り外し可能なカバーを含む、請求項1から6のいずれか一項記載のシステム。
【請求項８】
駆動部材が、垂直方向に向けられかつモータによって回転するシャフトである、請求項1から7のいずれか一項記載のシステム。
【請求項９】
フライス・ヘッドが、フライス媒体および材料と協働してフライス・チャンバ内の少なくとも1つの材料をフライス削りするための、該フライス・ヘッドの外側に突出した少なくとも1つの部材を含む、請求項1から8のいずれか一項記載のシステム。
【請求項１０】
フライス・ヘッドが、該フライス・ヘッドの外側に突出した複数のペグを含む、請求項9記載のシステム。
【請求項１１】
フライス・ヘッドをフライス・チャンバ内に回転可能に取り付ける、少なくとも1つの軸受をさらに含む、請求項1から10のいずれか一項記載のシステム。
【請求項１２】
少なくとも1つの駆動磁石が希土磁石である、請求項1から11のいずれか一項記載のシステム。
【請求項１３】
少なくとも1つの被駆動磁石が希土磁石である、請求項1から12のいずれか一項記載のシステム。
【請求項１４】
フライス媒体が小さな本体を複数含む、請求項1から13のいずれか一項記載のシステム。
【請求項１５】
小さな本体の平均直径が約500ミクロン以下である、請求項14記載のシステム。
【請求項１６】
少なくとも1つのフライス媒体が重合材料を含む、請求項1から15のいずれか一項記載のシステム。
【請求項１７】
材料が薬物である、請求項1から16のいずれか一項記載のシステム。
【請求項１８】
材料が診断造影剤である、請求項1から16のいずれか一項記載のシステム。
【請求項１９】
少なくとも1つの材料をフライス削りする方法であって、
（A）内部にフライス・ヘッドが配置されたフライス・チャンバを設ける段階；
（B）該フライス・チャンバ内に少なくとも1つの材料を供給する段階；
（C）該フライス・チャンバ内に少なくとも1つのフライス媒体を供給する段階；
（D）エネルギー源によって長手方向軸の周りを回転するように構成されたシャフトを設ける段階；および
（E）該シャフトを該フライス・ヘッドに磁気的に連結して、該フライス・ヘッドを該フライス・チャンバ内の該軸の周りを回転させる段階
を含み、該シャフトが該軸の周りを回転すると、付随して該フライス・ヘッドが回転し、該フライス・チャンバ内の少なくとも1つの材料がフライス削りされる方法。
【請求項２０】
フライス・チャンバがシャフト上に取り外し可能に取り付けられている、該フライス・チャンバおよび該フライス・ヘッドを軸からユニットとして取り外す段階を含む、請求項19記載の方法。
【請求項２１】
少なくとも1つのフライス媒体が小さな本体を複数含む、請求項19または20記載の方法。
【請求項２２】
複数の小さな本体の平均直径が約500ミクロン以下である、請求項21記載の方法。
【請求項２３】
複数の小さな本体が重合材料で形成されている、請求項21または22記載の方法。
【請求項２４】
材料が薬物である、請求項19から23のいずれか一項記載の方法。
【請求項２５】
材料が診断造影剤である、請求項19から23のいずれか一項記載の方法。
【手続補正２】
【補正対象書類名】明細書
【補正対象項目名】０００１
【補正方法】変更
【補正の内容】
【０００１】
関連出願
本出願は、2002年5月31日に出願されたPCT出願であるPCT/US02/17323の国内移行であり、2001年6月5日に出願された米国特許仮出願第60/295,965号の優先権を主張するものである。これらの出願はどちらも「材料をフライス削りするシステムおよび方法」に関し、その全開示は参照として本明細書に組み入れられている。
発明の分野
本発明は、材料のフライス削りに関し、特に、材料をフライス削りする磁気駆動装置を含むシステム、および本システムを使用する方法に関する。
【手続補正３】
【補正対象書類名】明細書
【補正対象項目名】００２５
【補正方法】変更
【補正の内容】
【００２５】
本発明を用いて、集合的に「薬物」と呼ばれるいくつかの治療薬または診断薬を生成できることをさらに理解されたい。薬剤は通常、基本的に純粋な形態で存在し、ほとんど溶解せず、少なくとも1つの液体媒体中に分散することができる。「ほとんど溶解しない」とは、薬物が液体分散媒体中に約10mg/mL未満しか溶けず、好ましくは約1mg/mL未満しか溶けないことを意味する。治療薬は、タンパク質やペプチドなどの生物製剤を含む薬剤であってよく、診断薬は通常、X線造影剤などの造影剤、またはその他の任意の種類の診断薬である。薬物は、離散結晶相として存在する。結晶相は、欧州特許第275,796号に記載された技術などの沈殿技術による非結晶相または異方性相とは異なる。
本明細書で用いられる「薬物」という用語は、ペプチドまたはタンパク質（およびその模倣物）、抗原、ワクチン、ホルモン、鎮痛剤、抗偏頭痛薬、抗凝固剤、中枢神経系の疾患および状態の治療用医薬品、麻薬拮抗薬、免疫抑制剤、AIDSの治療に用いられる薬剤、キレート剤、抗狭心症剤、化学療法剤、鎮痛剤、抗腫瘍薬、プロスタグランジン、抗利尿剤、および遺伝子療法を補助するDNAまたはDNA/RNA分子を含むが、それらに限定されない。